(57)【特許請求の範囲】
【請求項１】
指定された解像度で原稿画像を光学的に読み取り前記原稿画像の画像データを生成する画像読取部と、
ユーザーに対して操作画面を表示する表示装置と、
ユーザー操作を受け付ける入力装置と、
（ａ）視認性レベルを指定するためのユーザーインターフェイスを前記表示装置に表示し、（ｂ）前記ユーザーインターフェイスに対して行われた、視認性レベルを指定するユーザー操作を前記入力装置で検出し、（ｃ）検出された前記ユーザー操作に基づいて前記視認性レベルを特定し、（ｄ）所定の変換ルールで、特定した前記視認性レベルを解像度に変換する視認性調整部と、
前記視認性調整部による変換後の前記解像度を前記画像読取部に対して指定して前記原稿画像の画像データを生成させ、生成された前記画像データを、指定されたデータ形式の画像データに変換するスキャン制御部と、
を備え、
前記ユーザーインターフェイスは、前記入力装置に対するユーザー操作でスライダーの位置を変化させることができるスライダーバーと、データサイズの縮小率を指定する入力フィールドとを含み、
前記視認性調整部は、（ａ）前記スライダーの位置に基づいて前記視認性レベルを特定し、（ｂ）前記入力フィールドに指定された縮小率に対応する解像度を特定し、特定した解像度に対応する視認性レベルを特定し、特定した前記視認性レベルに対応する位置に前記スライダーを移動すること、
を特徴とする画像読取装置。
【請求項２】
指定された解像度で原稿画像を光学的に読み取り前記原稿画像の画像データを生成する画像読取部と、
ユーザーに対して操作画面を表示する表示装置と、
ユーザー操作を受け付ける入力装置と、
（ａ）視認性レベルを指定するためのユーザーインターフェイスを前記表示装置に表示し、（ｂ）前記ユーザーインターフェイスに対して行われた、視認性レベルを指定するユーザー操作を前記入力装置で検出し、（ｃ）検出された前記ユーザー操作に基づいて前記視認性レベルを特定し、（ｄ）所定の変換ルールで、特定した前記視認性レベルを解像度に変換する視認性調整部と、
前記視認性調整部による変換後の前記解像度を前記画像読取部に対して指定して前記原稿画像の画像データを生成させ、生成された前記画像データを、指定されたデータ形式の画像データに変換するスキャン制御部と、
を備え、
前記変換ルールは、前記画像データのデータ形式、並びに文字、写真、および文字と写真との混在を含む画像種別のそれぞれに対応して設定されており、
前記視認性調整部は、前記原稿画像の画像種別を指定するためのユーザー操作を前記入力装置で検出し、検出した前記ユーザー操作に対応する画像種別を特定し、特定した前記画像種別および前記データ形式に対して設定されている前記変換ルールで、特定した前記視認性レベルを解像度に変換すること、
を特徴とする画像読取装置。
【請求項３】
前記入力装置で検出されるユーザー操作に従って、前記変換ルールにおける前記視認性レベルと前記解像度との対応関係を登録する解像度登録部をさらに備えることを特徴とする請求項１または請求項２記載の画像読取装置。
【発明の詳細な説明】
【技術分野】
【０００１】
本発明は、画像読取装置に関するものである。
【背景技術】
【０００２】
複合機などの画像読取装置は、ＳＭＢ（Server Message Block）、ＦＴＰ（File Transfer Protocol）、電子メールなどを使用したスキャントゥセンド機能、ＴＷＡＩＮドライバーへのスキャンデータ転送機能などを有する。これらの機能では、ネットワークトラフィックの軽減のために、転送すべきデータのデータサイズを小さくしたいという要望がある。【０００３】
一般的に、画像読取時の解像度を低くすることでスキャンデータのデータサイズが小さくなる。また、高圧縮ＰＤＦ（Portable Document Format）技術を使用することで、スキャンデータを小データサイズのＰＤＦファイルとすることができる。【０００４】
ある画像処理装置は、ユーザーインターフェイスとしてスライダーバーを表示し、スライダーバーにおけるスライダーの位置に対応する圧縮方法で画像データを圧縮している（例えば特許文献１参照）。
【先行技術文献】
【特許文献】
【０００５】
【特許文献１】特開２０１４−１２８０２５号公報
【発明の概要】
【発明が解決しようとする課題】
【０００６】
上述のように、データサイズを小さくすることはできるが、画像の視認性が低下する可能性がある。読み取られた画像に対する視認性の要求は、ユーザーによって異なる。上述の画像処理装置では、ユーザーは、スライダーバーで圧縮後の画像データのデータサイズを調整することができるが、圧縮後の画像データに基づく画像の視認性を指定しているわけではないので、ユーザーは、自己の所望の視認性を確保した上で、データサイズを適切に小さくすることは困難である。【０００７】
本発明は、上記の問題に鑑みてなされたものであり、ユーザーが自己の所望の視認性を確保した上で、読み取らされた画像データのデータサイズを小さくすることができる画像読取装置を得ることを目的とする。
【課題を解決するための手段】
【０００８】
本発明に係る画像読取装置は、指定された解像度で原稿画像を光学的に読み取り前記原稿画像の画像データを生成する画像読取部と、ユーザーに対して操作画面を表示する表示装置と、ユーザー操作を受け付ける入力装置と、（ａ）視認性レベルを指定するためのユーザーインターフェイスを前記表示装置に表示し、（ｂ）前記ユーザーインターフェイスに対して行われた、視認性レベルを指定するユーザー操作を前記入力装置で検出し、（ｃ）検出された前記ユーザー操作に基づいて前記視認性レベルを特定し、（ｄ）所定の変換ルールで、特定した前記視認性レベルを解像度に変換する視認性調整部と、前記視認性調整部による変換後の前記解像度を前記画像読取部に対して指定して前記原稿画像の画像データを生成させ、生成された前記画像データを、指定されたデータ形式の画像データに変換するスキャン制御部とを備える。さらに、以下の（Ａ）および（Ｂ）の少なくとも一方のようにされる。（Ａ）前記ユーザーインターフェイスは、前記入力装置に対するユーザー操作でスライダーの位置を変化させることができるスライダーバーと、データサイズの縮小率を指定する入力フィールドとを含み、前記視認性調整部は、前記スライダーの位置に基づいて前記視認性レベルを特定し、前記入力フィールドに指定された縮小率に対応する解像度を特定し、特定した解像度に対応する視認性レベルを特定し、特定した前記視認性レベルに対応する位置に前記スライダーを移動する。（Ｂ）前記変換ルールは、前記画像データのデータ形式、並びに文字、写真、および文字と写真との混在を含む画像種別のそれぞれに対応して設定されており、前記視認性調整部は、前記原稿画像の画像種別を指定するためのユーザー操作を前記入力装置で検出し、検出した前記ユーザー操作に対応する画像種別を特定し、特定した前記画像種別および前記データ形式に対して設定されている前記変換ルールで、特定した前記視認性レベルを解像度に変換する。
【発明の効果】
【０００９】
本発明によれば、ユーザーが自己の所望の視認性を確保した上で、読み取らされた画像データのデータサイズを小さくすることができる画像読取装置が得られる。【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像読取装置の構成を示すブロック図である。
【図２】図２は、視認性調整用ユーザーインターフェイスを含む操作画面の一例を示す図である。
【図３】図３は、原稿画像の画像種別を指定するための操作画面の一例を示す図である。
【図４】図４は、図１における視認性調整部２２により使用される変換ルールとしての、視認性レベルと解像度との対応関係の一例を示す図である。
【図５】図５は、図１における視認性調整部２２により使用される、サイズ縮小率と解像度との対応関係の一例を示す図である。
【図６】図６は、図１に示す画像読取装置の動作を説明するフローチャートである。
【発明を実施するための形態】
【００１２】
以下、図に基づいて本発明の実施の形態を説明する。
【００１３】
図１は、本発明の実施の形態に係る画像読取装置の構成を示すブロック図である。図１に示す画像読取装置は、画像読取機能を有する複合機、コピー機、スキャナー機などである。図１に示す画像読取装置は、画像読取部１１、印刷装置１２、ファクシミリ装置１３、通信装置１４、操作パネル１５、コントローラー１６、記憶装置１７などを備える。
【００１４】
画像読取部１１は、プラテングラスに載置された原稿や、自動原稿送り装置によりフィードされた原稿から原稿画像を、指定された解像度で光学的に読み取り、その原稿画像の画像データを生成する内部装置である。
【００１５】
印刷装置１２は、原稿画像などを印刷する内部装置である。
【００１６】
ファクシミリ装置１３は、スキャンで得られた画像データをファクシミリ信号として送信し、ファクシミリ信号を受信して画像データを生成する内部装置である。
【００１７】
通信装置１４は、ネットワークインターフェイス、近距離通信インターフェイスなどであって、図示せぬ端末装置やサーバーとデータ通信を行う内部装置である。
【００１８】
操作パネル１５は、当該画像読取装置の筺体上面側に配置され、ユーザーに対して操作画面を表示する表示装置１５ａおよびユーザー操作を受け付ける入力装置１５ｂを有する内部装置である。表示装置１５ａは、液晶ディスプレイなどである。また、入力装置１５ｂは、ハードキー、表示装置１５ａとともにソフトキーを実現するタッチパネルなどである。
【００１９】
コントローラー１６は、ＣＰＵ（Central Processing Unit）、ＲＯＭ（Read Only Memory）、ＲＡＭ（Random Access Memory）などを有するコンピューター、ＡＳＩＣ（Application Specific Integrated Circuit）などを備え、各種処理部として動作する。つまり、コントローラー１６は、ＲＯＭや記憶装置１７に記憶されているプログラムをＲＡＭにロードしてＣＰＵで実行して、ソフトウェアによって各種処理部として動作したり、ＡＳＩＣなどで、ハードウェアによって各種処理部として動作したりする。また、コントローラー１６は、内部装置を制御して、各種処理を実行する。
【００２０】
記憶装置１７は、フラッシュメモリーなどの不揮発性の記憶装置であって、データやプログラムを記憶する。記憶装置１７は、変換ルールデータ１７ａなどを記憶している。
【００２１】
コントローラー１６は、スキャン制御部２１、視認性調整部２２、および解像度登録部２３として動作する。
【００２２】
スキャン制御部２１は、解像度を画像読取部１１に対して指定してその解像度で原稿画像の画像データを生成させ、生成された画像データを、指定されたデータ形式（カラーモード、データフォーマットなど）の画像データに変換する。カラーモードとしては、フルカラー、グレースケール、モノクロ２値画像などであり、データフォーマットは、ＪＰＥＧ（Joint Photographic Experts Group）、ＴＩＦＦ（Tagged Image File Format）、ＰＤＦ、高圧縮ＰＤＦ、ＸＰＳ（XML Paper Specification）などである。
【００２３】
視認性調整部２２は、（ａ）視認性レベルを指定するためのユーザーインターフェイスを表示装置１５ａに表示し、（ｂ）そのユーザーインターフェイスに対して行われた、視認性レベルを指定するユーザー操作を入力装置１５ｂで検出し、（ｃ）検出されたユーザー操作に基づいて視認性レベルを特定し、（ｄ）変換ルールデータ１７ａを読み出して、変換ルールデータ１７ａにおける変換ルールで、特定した視認性レベルを解像度に変換する。スキャン制御部２１は、視認性調整部２２による変換後の解像度を画像読取部１１に対して指定して原稿画像の画像データを生成させる。
【００２４】
図２は、視認性調整用ユーザーインターフェイスを含む操作画面の一例を示す図である。この実施の形態では、上述のユーザーインターフェイスは、例えば図２に示すようなスライダーバー１０１を含む。スライダーバー１０１は、スライダー１０１ａを有し、入力装置１５ｂに対するユーザー操作に従って、視認性調整部２２は、スライダー１０１ａの位置を変化させる。そして、視認性調整部２２は、スライダー１０１ａの位置に基づいて視認性レベルを特定する。
【００２５】
さらに、図２に示すように、上述のユーザーインターフェイスは、データサイズの縮小率を指定する入力フィールド１０２をさらに含む。そして、視認性調整部２２は、入力フィールド１０２に指定された縮小率に対応する解像度を特定し、特定した解像度に対応する視認性レベルを特定し、特定した視認性レベルに対応する位置にスライダー１０１ａを移動する。そして、確定キー１０３（ソフトキー）が押下されると、その時点でのスライダー１０１ａに対応する視認性レベルが指定される。
【００２６】
この実施の形態では、変換ルールは、文字、写真、および文字と写真との混在（文字＋写真）を含む画像種別のそれぞれに対応して設定されている。そして、視認性調整部２２は、原稿画像の画像種別を指定するためのユーザー操作を入力装置１５ｂで検出し、検出したユーザー操作に対応する画像種別を特定し、特定した画像種別に対して設定されている変換ルールで、特定した視認性レベルを解像度に変換する。
【００２７】
さらに、この実施の形態では、その変換ルールは、原稿画像の画像データのデータ形式および上述の画像種別のそれぞれに対応して設定されており、視認性調整部２２は、特定した画像種別およびデータ形式（カラーモードおよびデータフォーマットの設定値）に対して設定されている変換ルールで、特定した視認性レベルを解像度に変換する。
【００２８】
図３は、原稿画像の画像種別を指定するための操作画面の一例を示す図である。視認性調整部２２は、例えば図３に示すような操作画面を表示装置１５ａに表示する。その操作画面は、解像度モードの選択項目に対応するラジオボタン１２１，１２２を含む。入力装置１５ｂに対するユーザー操作によってラジオボタン１２１がチェックされると、解像度モードとして視認性調整モードが選択される。入力装置１５ｂに対するユーザー操作によってラジオボタン１２２がチェックされると、解像度モードとしてデフォルト解像度モードが選択される。この操作画面は、原稿画像の画像種別を指定するための操作部であるソフトキー１３１，１３２，１３３を含む。ソフトキー１３１は、画像種別「文字」に対応し、ソフトキー１３２は、画像種別「写真」に対応し、ソフトキー１３３は、画像種別「文字＋写真」に対応する。ソフトキー１３１，１３２，１３３のいずれかが押下されると、押下されたソフトキー１３１，１３２，１３３に対応する画像種別が指定される。
【００２９】
そして、確定キー１４１（ソフトキー）が押下されると、その時点でチェックされているラジオボタン１２１，１２２に対応するモードが指定され、また、その時点で選択されているソフトキー１３１，１３２，１３３に対応する画像種別が指定される。
【００３０】
図４は、図１における視認性調整部２２により使用される変換ルールとしての、視認性レベルと解像度との対応関係の一例を示す図である。例えば図４に示すように、カラーモード、データフォーマット、および画像種別の組み合わせに対応して、それぞれ、変換ルールが変換ルールデータ１７ａに設定されている。視認性調整部２２は、画像種別などを特定すると、例えば図４に示す変換ルールで、その画像種別などに対応する変換ルールで、特定した視認性レベルを解像度に変換する。
【００３１】
図５は、図１における視認性調整部２２により使用される、サイズ縮小率と解像度との対応関係の一例を示す図である。例えば図５に示すように、カラーモード、データフォーマット、および画像種別の組み合わせに対応して、それぞれ、サイズ縮小率（つまり、（縮小前のデータサイズ−縮小後のデータサイズ）／縮小前のデータサイズ×１００％））と解像度との対応関係が変換ルールデータ１７ａに設定されている。視認性調整部２２は、入力フィールド１０２でサイズ縮小率が指定されると、指定されたサイズ縮小率に対応してスライダー１０１ａの位置が変更され、そのスライダー１０１ａの位置に対応する視認性レベルを解像度に変換する。
【００３２】
さらに、例えば図２に示すように、視認性調整用ユーザーインターフェイスを含む操作画面は、プレビュー画像領域１０４を含み、視認性調整部２２は、現時点のスライダー１０１ａの位置の視認性レベルに対応する解像度へ原稿画像の解像度変換を行い、解像度変換後の原稿画像をプレビュー画像としてプレビュー画像領域１０４に表示する。つまり、スライダー１０１ａの位置が変化するたびに、プレビュー画像領域１０４に表示されている原稿画像の解像度が変更される。なお、プレビュー画像として、スライダーバー１０１の複数の目盛りの視認性レベルに対応する解像度へそれぞれ解像度変換した原稿画像を、目盛りに対応する位置に表示するようにしてもよい。
【００３３】
また、解像度登録部２３は、入力装置１５ｂで検出されるユーザー操作に従って、上述の変換ルールにおける視認性レベルと解像度との対応関係を登録する。さらに、解像度登録部２３は、入力装置１５ｂで検出されるユーザー操作に従って、変換ルールデータ１７ａに登録されている視認性レベルと解像度との対応関係を表示装置１５ａに表示する。これにより、ユーザーが、各視認性レベルに対応した所望の解像度を設定することができるとともに、現在設定されている解像度を閲覧することができる。
【００３４】
次に、上記画像読取装置の動作について説明する。図６は、図１に示す画像読取装置の動作を説明するフローチャートである。
【００３５】
まず、スキャントゥセンド機能のジョブが実行される際に、視認性調整部２２は、上述のようにして、ユーザーにより指定された解像度モードおよび画像種別を特定する（ステップＳ１）。
【００３６】
次に、スキャン制御部２１は、画像読取部１１を制御して、デフォルト解像度（例えば縦３００ｄｐｉ横３００ｄｐｉ）で原稿画像の読み取りを実行し、原稿画像の画像データ（ロウデータ）を取得する（ステップＳ２）。
【００３７】
そして、視認性調整部２２は、指定された解像度モードが視認性調整モードであるか否かを判定する（ステップＳ３）。
【００３８】
指定された解像度モードが視認性調整モードである場合、視認性調整部２２は、例えば図２に示すように、視認性調整用のインターフェイスとして、視認性レベルのスライダーバー１０１、およびサイズ縮小率の入力フィールド１０２を含む操作画面を表示装置１５ａに表示する（ステップＳ４）。
【００３９】
そして、視認性調整部２２は、読み取られた原稿画像を初期解像度（ここでは、デフォルト解像度）でプレビュー画像領域１０４に表示する（ステップＳ５）。
【００４０】
視認性調整部２２は、入力装置１５ｂに対するユーザー操作によってスライダー１０１ａの位置および入力フィールド１０２の入力値の一方が変更されたか否か（ステップＳ６）および視認性レベルが確定されたか否か（ステップＳ７）を監視する。
【００４１】
スライダー１０１ａの位置および入力フィールド１０２の入力値の一方が変更されると、視認性調整部２２は、スライダー１０１ａの位置および入力フィールド１０２の入力値の他方を連動して変更し、画像種別などに対応した変換ルールを特定し、特定した変換ルールで、現時点のスライダー１０１ａの位置に対応する視認性レベルを解像度に変換する（ステップＳ８）。そして、視認性調整部２２は、読み取られた原稿画像を、変換後の解像度へ解像度変換し、解像度変換後の原稿画像でプレビュー画像領域１０４内の画像を更新する（ステップＳ９）。
【００４２】
そして、確定キー１０３が押下され、視認性レベルが確定されると、視認性調整部２２は、現時点の視認性レベルに対応する解像度をスキャン制御部２１に指定し（ステップＳ１０）、スキャン制御部２１は、その解像度を画像読取部１１に指定して原稿画像の読み取りを画像読取部１１に実行させ、原稿画像の画像データを画像読取部１１から取得し（ステップＳ１１）、ユーザー設定などで指定されたデータフォーマットのデータファイルとして、通信装置１４を使用して、図示せぬ端末装置やサーバーへ、所定のプロトコル（ＳＭＢ、ＦＴＰ、電子メールなど）でその画像データを送信する（ステップＳ１２）。
【００４３】
また、解像度モードとしてデフォルト解像度モードが指定された場合（ステップＳ３）、スキャン制御部２１は、ステップＳ２で取得された画像データを、ユーザー設定などで指定されたデータフォーマットのデータファイルとして、通信装置１４を使用して、図示せぬ端末装置やサーバーへ、所定のプロトコルでその画像データを送信する（ステップＳ１２）。
【００４４】
以上のように、上記実施の形態によれば、画像読取部１１は、指定された解像度で原稿画像を光学的に読み取り原稿画像の画像データを生成する。視認性調整部２２は、（ａ）視認性レベルを指定するためのユーザーインターフェイスを表示装置１５ａに表示し、（ｂ）そのユーザーインターフェイスに対して行われた、視認性レベルを指定するユーザー操作を入力装置１５ｂで検出し、（ｃ）検出されたユーザー操作に基づいて視認性レベルを特定し、（ｄ）所定の変換ルールで、特定した視認性レベルを解像度に変換する。スキャン制御部２１は、視認性調整部２２による変換後の解像度を画像読取部１１に対して指定して原稿画像の画像データを生成させ、生成された画像データを、指定されたデータ形式の画像データに変換する。
【００４５】
これにより、スキャントゥセンド機能などにおいて、ユーザーは視認性レベルを指定することで、そのユーザー所望の視認性が得られる解像度で原稿画像の画像データを生成することができる。つまり、ユーザーが自己の所望の視認性を確保した上で、読み取らされた画像データのデータサイズを小さくすることができる。
【００４６】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００４７】
本発明は、例えば、画像読取装置に適用可能である。
【図１】
0006955680.tif 000002
【図２】
0006955680.tif 000003
【図３】
0006955680.tif 000004
【図４】
0006955680.tif 000005
【図５】
0006955680.tif 000006
【図６】
0006955680.tif 000007